(57)【要約】【課題】本発明は、箸に関し、箸を使い始めた幼児、指の力の衰えた高齢者、箸を使う習慣の無い人などに、箸を持つ際の指の位置を支持し、箸の使い方を習得することができる箸を提供することを目的とする【解決手段】本発明は、指を挿入し、固定するための強度を有する円筒状部材と、第１箸部、第２箸部とで構成され、該円筒状部材が、該箸部の挟持部に第１箸部につき３、第２箸部につき２配設されてなる、箸である。【選択図】図１
2006130274.tif 000002
【特許請求の範囲】
【請求項１】
指を挿入し、固定するための円筒状部材と第１箸部、第２箸部とで構成され、該円筒状部材が、該箸部の挟持部に第１箸部につき３、第２箸部につき２配設されてなる、箸。
【請求項２】
前記円筒状部材は強度の有る材料からなり、伸縮せず、それぞれが該箸部としかるべき角度にて接着し、該円筒状部材に手指を挿入し得る、請求項１記載の箸。
【請求項３】
前記第１箸部が親指、人差し指、中指に対応する３個の円筒状部材を有する、請求項１または請求項２に記載の箸。
【請求項４】
前記第２箸部が親指と薬指に対応する２個の円筒状部材を有している、請求項１乃至３に記載の箸。
【請求項５】
前記箸部断面は正方形であり、角は面取りされ、中央に、円筒状部材をスライド移動のうえ固定させるための溝が縦に４面に設けられている、請求項１乃至４に記載の箸。
【請求項６】
前記円筒状部材は合成樹脂からなり、前記箸部の溝と接合するために突起が設けられてあり、この突起が前記箸部の溝上を移動することで各人の手の大きさにより円筒状部材間の長さを調節可能である、請求項１乃至５に記載の箸。
【請求項７】
前記円筒状部材が、前記挟持部に着脱自在である、請求項１乃至６に記載の箸。
【請求項８】
前記円筒状部材が２以上の色彩又は絵などで見分けやすくされている、請求項１乃至７の箸。
【請求項９】
前記円筒状部材が、挟持部にて、指が箸部に接触することを妨げない形状となっている、請求項１乃至８の箸。
【発明の詳細な説明】
【技術分野】
【０００１】本発明は、箸に関し、箸を使い始めた幼児、指の力の衰えた高齢者、箸を使う習慣の無い人などに、箸を持つ際の指の位置を支持し、箸の使い方を習得することができる箸を提供する。
【背景技術】
【０００２】正しい箸の持ち方を習得させるための練習用の箸や、その補助具が種々開発されている。たとえば、箸に指を通すための環状のコードを多数取り付けた箸が提案されている（例えば特許文献１）
【発明の開示】
【発明が解決しようとする課題】
【０００３】しかしこれらは指に力がかかるところが確実に箸に触れない点や、使用者の手の大きさに対応していない点、また、普段食卓にて使用するにおいて洗いにくい、独りで装着しにくい等問題があった。したがって、指の正しい位置が箸に触れ、また，使用者の個々の手の大きさの相違に柔軟に対応でき、普段の使用に適し、１日三度の食事にて練習でき、使用者がひとりで興味を持って装着することが可能な箸の開発が待たれていた。【０００４】そこで本発明者は、幼児、高齢者等に対応することができ美しい箸の持ち方を提供することを目指し鋭意研究の結果上記目的を達し、新規な箸を発明するに至った。【０００５】
【特許文献１】特許公開公報平成１６−２３７００７
【課題を解決するための手段】
【０００６】すなわち、本発明の箸は、指を挿入するための円筒状部材と、第１箸部、第２箸部とで構成され、該円筒状部材が、該箸部の挟持部に第１箸部につき３、第２箸部につき２配設されてなる、箸である。【０００７】また、円筒状部材は、強度のある材料からなり、伸縮せず、それぞれが該箸部としかるべき角度にて接合し、該円筒状部材に手指を挿入し得る。【０００８】また、第１箸部が親指、人差し指、中指に対応する３個の円筒状部材を有し得る。【０００９】また、第２箸部が親指と薬指に対応する２個の円筒状部材を有し得る。【００１０】また、箸部断面は正方形であり、角は面取りされ得る。中央に、円筒状部材をスライド移動のうえ固定させるための溝が縦に４面に設けられ得る。【００１１】また、円筒状部材は合成樹脂からなり、前記箸部の溝と接合するための突起が設けられ得る。この突起が前記箸部の溝上を移動することで、各人の手の大きさにより円筒状部材間の長さを調節し得る。【００１２】また、円筒状部材は着脱が、前記箸部の挟持部に自在にし得る。【００１３】また、円筒状部材が２以上の色彩または絵などで見分けやすく色分けし得る。【００１４】また、円筒状部材が、挟持部にて、指が箸に接触することを妨げない形状とし得る。
【発明を実施するための最良の形態】
【００１５】以下、本発明の実施の形態について説明する。
本発明は、断面が正方形で角が面取りしてあり（図７）、溝（符号２７）が縦に箸の４面の中央部分それぞれに設けられている（図６）箸と、第１箸部に３個、第２箸部に２個、突起部分（符号２９）にて箸部の溝部分に接合する円筒状部材からなる（図１・図２・図３・図４・図５）。【００１６】円筒状部材は、指を一定の角度に固定するために、強度があり、使用者が指を合計５個の円筒状部材に挿入すれば自ずと美しく正しい箸の持ち方になるよう指を固定する。親指先は、第１箸部にて図８および図９のとおり、人差し指は、第１箸部にて図１０および図１１のとおり、中指は、第１箸部にて図１３および図１４のとおり、薬指は、第２箸部にて図１６および図１７のとおり、親指元は、第２箸部にて図１８および図１９のとおりに、それぞれの円筒状部材にて固定する。【００１７】使用者の手指の大きさに対応できるよう、円筒状部材が上下にスライド移動する（便宜上太い方を上、細い方を下とする）。これまでの発明では箸部に穴などをあけ、そこにコード状の環状部材を通し、指を固定するものであったが、手と箸のサイズが違えば、ほかのサイズのものを買い求めるか、たとえそうしたとしても、オーダーメイドのようにはいかないのが現状であった。しかし、この発明では、円筒状部材を箸部の溝上をスライド移動させるだけで使用者各人の手指の大きさに合わせることができる。【００１８】従来の発明では、、使用者の手指により箸部を支持する部分（挟持部と呼ぶことにする）を伸縮性の有るコード状の環状部材にて軟着固定させるものであったが、実際に箸を使ってみると、挟持部の箸と指の角度はほぼ一定の角度を保ったまま、食物を把持するために２本の箸は開閉運動をしていることがわかる。第２箸部（親指と薬指先にて保持される箸）はもとより、第１箸部（親指と人差し指と中指にて保持される箸）においても指先の角度が一定である。したがって、本発明では、挟持部の指先を円筒状部材に挿入し正しい持ち方に固定することで、美しい箸の持ち方を実現する。【００１９】円筒状部材は図１２および図１５のとおり手指の支持部が箸に接触するのを妨げない形状とし、この発明無しでも箸が使えるように上達するよう工夫されている。【００２０】円筒状部材は水を浸透させず、洗いやすく衛生的である。また、着脱自在である。材質としては、強度のある合成樹脂が望ましい。箸部の溝は把持部（食物をはさむ部分）には無く、衛生的である。【００２１】箸部は断面が正方形で食物との接点が大きくしてある。【００２２】円筒状部材には２色以上に色分けしたり、食べ物の絵を描くなどの工夫で、幼児の興味を惹くとともに判別しやすくする。
【発明の効果】
【００２３】本発明にかかる箸は、使用者の手の大きさに柔軟に適用され、使用者が正しい箸の持ち方で動作することができ、食物をつまむことが可能な箸使いを練習でき、幼児、高齢者、箸を使う習慣の無い人にも応用できすることができ、美しく正しい箸の持ち方を習得することができる。
【００２４】本発明の箸は、指を挿入し、固定するための円筒状部材と第１箸部、第２箸部とで構成され、該円筒状部材が、該箸部の挟持部に第１箸部につき３個、第２箸部につき２個配設され、使用者が各指を対応する円筒状部材に挿入することで、箸使いの基本型を習得することができる。
【００２５】また、前記円筒状部材は強度の有る材料からなり、伸縮せず、それぞれが該箸部としかるべき角度にて接合し、該円筒状部材に手指を挿入することで美しく正しい箸の持ち方を習得することができる。
【００２６】さらには、第１箸部が親指、人差し指、中指に対応する３個の円筒状部材を有し、    さらに、第２箸部が親指と薬指に対応する２個の円筒状部材を有することにより、箸使いの基本形を習得することができる。
【００２７】また、箸部断面は正方形であり、角は面取りし、さらに、中央に、円筒状部材をスライド移動のうえ固定させるための溝を縦に４面に設けることにより、使用者の手の大きさに柔軟に対応することができる。
【００２８】また、円筒状部材は合成樹脂からなり、前記箸部と接合するための突起（図９）を設け、円筒状部材の溝上をスライド移動することで、各人の手の大きさにより円筒状部材間の長さを調節可能である。
【００２９】また、円筒状部材が、前記挟持部に着脱自在であり、容易に洗浄することができる。
【００３０】また、円筒状部材が２以上の色彩又は絵などで見分けやすくすることで、幼児に習得が容易とすることができる。
【００３１】さらには、円筒状部材が、挟持部にて、指が箸部に接触することを妨げない形状とし、この発明品無しでも箸が使えるように上達することが可能である。
【図面の簡単な説明】
【００３２】
【図１】本発明の実施例
【図２】第１箸部に円筒状部材をつけた本発明の態様を示す。
【図３】第１箸部に円筒状部材をつけた本発明の態様を箸先から示す。
【図４】第２箸部に円筒状部材をつけた本発明の態様を示す。
【図５】第２箸部に円筒状部材をつけた本発明の態様を箸先から示す。
【図６】箸部の溝の説明図
【図７】箸部の断面図
【図８】第１箸部に親指に対応する円筒状部材をつけた説明図
【図９】第１箸部に親指に対応する円筒状部材をつけた説明図
【図１０】第１箸部に人差し指に対応する円筒状部材をつけた説明図
【図１１】第１箸部に人差し指に対応する円筒状部材をつけた説明図
【図１２】第１箸部に人差し指に対応する円筒状部材をつけた断面図
【図１３】第１箸部に中指に対応する円筒状部材をつけた説明図
【図１４】第１箸部に中指に対応する円筒状部材をつけた説明図
【図１５】第１箸部に中指に対応する円筒状部材をつけた断面図
【図１６】第２箸部に薬指に対応する円筒状部材をつけた説明図
【図１７】第２箸部に薬指に対応する円筒状部材をつけた説明図
【図１８】第２箸部に薬指に対応する円筒状部材をつけた説明図
【図１９】第２箸部に薬指に対応する円筒状部材をつけた説明図
【符号の説明】
【２０】第１箸部
【２１】第２箸部
【２２】親指に対応する円筒状部材（第１箸部）
【２３】人差し指に対応する円筒状部材
【２４】中指に対応する円筒状部材
【２５】親指に対応する円筒状部材（第２箸部）
【２６】薬指に対応する円筒状部材
【２７】箸部の溝
【２８】箸の先
【２９】円筒状部材の突起
【図１】
2006130274.tif 000003
【図２】
2006130274.tif 000004
【図３】
2006130274.tif 000005
【図４】
2006130274.tif 000006
【図５】
2006130274.tif 000007
【図６】
2006130274.tif 000008
【図７】
2006130274.tif 000009
【図８】
2006130274.tif 000010
【図９】
2006130274.tif 000011
【図１０】
2006130274.tif 000012
【図１１】
2006130274.tif 000013
【図１２】
2006130274.tif 000014
【図１３】
2006130274.tif 000015
【図１４】
2006130274.tif 000016
【図１５】
2006130274.tif 000017
【図１６】
2006130274.tif 000018
【図１７】
2006130274.tif 000019
【図１８】
2006130274.tif 000020
【図１９】
2006130274.tif 000021